(57)【要約】【課題】コンテンツの著作権を保護しながら、新しい（最新の）広告データを視聴させることが可能なコンテンツ再生装置および広告データ配信システムを提供する。【解決手段】このＢＤレコーダ１は、ブルーレイディスク２からコンテンツ２１を読み出すとともに、読み出したコンテンツ２１をハードディスクドライブ１５またはリムーバブルメモリ３に記憶するリッピング処理を行うとともに、著作権管理サーバ４によりリッピング処理が許可された場合に、著作権管理サーバ４から取得したサーバ側広告データ２２ａを、リッピング処理時またはコンテンツの再生開始時に再生する制御を行うように構成されている制御部１１を備える。【選択図】図１
2015225677.tif 000002
【特許請求の範囲】
【請求項１】
コンテンツ再生装置本体と、
外部記憶媒体からコンテンツを読み出すとともに、読み出した前記コンテンツを前記コンテンツ再生装置本体の内部に設けられた内部記憶部または外部記憶部に記憶するリッピング処理を行う制御部とを備え、
前記制御部は、外部著作権管理サーバにより前記リッピング処理が許可された場合に、前記外部著作権管理サーバから取得した広告データを、前記リッピング処理時または前記コンテンツの再生開始時に再生する制御を行うように構成されている、コンテンツ再生装置。
【請求項２】
前記制御部は、前記リッピング処理開始時に、前記リッピング処理の処理回数が前記リッピング処理の制限回数以内であると前記外部著作権管理サーバが判断して前記外部著作権管理サーバにより前記リッピング処理が許可された場合に、前記外部著作権管理サーバから取得した前記広告データを、前記リッピング処理時または前記コンテンツの再生開始時に再生する制御を行うように構成されている、請求項１に記載のコンテンツ再生装置。
【請求項３】
前記制御部は、前記リッピング処理開始時に、前記外部著作権管理サーバにより前記リッピング処理が許可された場合に、前記外部著作権管理サーバから最新の前記広告データを取得して、取得した前記最新の広告データを、前記リッピング処理時または前記コンテンツの再生開始時に再生する制御を行うように構成されている、請求項１または２に記載のコンテンツ再生装置。
【請求項４】
前記外部記憶媒体には、前記コンテンツおよび前記広告データが予め記憶されており、
前記制御部は、前記リッピング処理開始時に、前記外部著作権管理サーバにより前記リッピング処理が許可された場合に、前記外部著作権管理サーバから前記最新の広告データを取得して、前記外部記憶媒体に記憶されている前記コンテンツと、取得した前記最新の広告データとを、前記内部記憶部または前記外部記憶部に記憶する制御を行うように構成されている、請求項３に記載のコンテンツ再生装置。
【請求項５】
前記外部記憶媒体には、前記コンテンツおよび前記広告データが予め記憶されており、
前記制御部は、前記リッピング処理時に、前記広告データを前記内部記憶部または前記外部記憶部に記憶しないで、前記コンテンツの再生開始時に、前記外部著作権管理サーバから前記広告データをストリーミングして再生する制御を行うように構成されている、請求項１〜３のいずれか１項に記載のコンテンツ再生装置。
【請求項６】
前記制御部は、前記外部著作権管理サーバが最新の前記広告データを送信するか否かを判断するための前記内部記憶部または前記外部記憶部に記憶されている前記広告データの情報を、前記外部著作権管理サーバに送信して、前記最新の広告データと前記内部記憶部または前記外部記憶部に記憶されている前記広告データとが一致する場合には、前記外部著作権管理サーバから前記最新の広告データが送信されないで、前記最新の広告データと前記内部記憶部または前記外部記憶部に記憶されている前記広告データとが一致しない場合には、前記外部著作権管理サーバから前記最新の広告データが送信されるとともに、前記外部著作権管理サーバから前記最新の広告データが送信された場合に、前記最新の広告データを取得する制御を行うように構成されている、請求項１〜５のいずれか１項に記載のコンテンツ再生装置。
【請求項７】
前記外部著作権管理サーバは、互いに内容が異なる複数の前記広告データを含み、
前記制御部は、これまでの前記リッピング処理された前記コンテンツの内容に関する履歴情報であるリッピング履歴情報と、前記リッピング処理された前記コンテンツの再生回数の情報である再生回数情報とのうちの少なくとも一方を、前記外部著作権管理サーバに送信して、前記外部著作権管理サーバから、前記複数の広告データのうちの前記リッピング履歴情報と前記再生回数情報とのうちの少なくとも一方に基づいた前記広告データを取得する制御を行うように構成されている、請求項１〜６のいずれか１項に記載のコンテンツ再生装置。
【請求項８】
前記制御部は、前記内部記憶部または前記外部記憶部の記憶容量の残量情報を、前記外部著作権管理サーバに送信して、前記著作権管理サーバから前記残量情報に応じた容量を有する前記広告データを取得する制御を行うように構成されている、請求項１〜７のいずれか１項に記載のコンテンツ再生装置。
【請求項９】
ユーザからの操作を受け付け可能に構成された操作部をさらに備え、
前記制御部は、前記リッピング処理時に、前記ユーザの前記操作部を用いた選択操作に基づいて、前記外部著作権管理サーバから前記広告データを取得するか否かを判断する制御を行うように構成されている、請求項１〜８のいずれか１項に記載のコンテンツ再生装置。
【請求項１０】
前記広告データは、第１広告データと前記第１広告データよりも再生時間が長い第２広告データとを含み、
前記制御部は、前記リッピング処理時に、前記外部記憶媒体または前記外部著作権管理サーバから前記第１広告データおよび前記第２広告データのうちの少なくとも前記第２広告データを取得して、取得した前記第１広告データおよび前記第２広告データのうちの少なくとも前記第２広告データを、前記内部記憶部または前記外部記憶部に記憶するとともに、前記コンテンツの再生開始時に、前記外部著作権管理サーバとの接続ができない場合に、前記第２広告データを再生した後に、前記コンテンツの再生を開始する制御を行うように構成されている、請求項１〜９のいずれか１項に記載のコンテンツ再生装置。
【請求項１１】
コンテンツ再生装置本体と、記憶媒体からコンテンツを読み出すとともに、読み出した前記コンテンツを前記コンテンツ再生装置本体の内部に設けられた内部記憶部または外部記憶部に記憶するリッピング処理を行う装置側制御部とを含む、コンテンツ再生装置と、
前記コンテンツ再生装置と接続可能に構成され、前記コンテンツ再生装置と接続された際に、前記リッピング処理を許可するサーバ側制御部と、前記サーバ側制御部により読み出し可能に構成された広告データが予め記憶されているサーバ側記憶部とを含む、著作権管理サーバとを備え、
前記装置側制御部は、前記著作権管理サーバにより前記リッピング処理が許可された場合に、前記著作権管理サーバから取得した前記広告データを、前記リッピング処理時または前記コンテンツの再生開始時に再生する制御を行うように構成されている、広告データ配信システム。
【発明の詳細な説明】
【技術分野】
【０００１】
この発明は、コンテンツ再生装置および広告データ配信システムに関し、特に、外部記憶媒体からコンテンツを読み出すとともに、読み出されたコンテンツを記憶部に記憶する制御を行う制御部を備えたコンテンツ再生装置および広告データ配信システムに関する。
【背景技術】
【０００２】
従来、外部記憶媒体からコンテンツを読み出すとともに、読み出されたコンテンツを記憶部に記憶する制御を行う制御部を備えたコンテンツ再生装置および広告データ配信システムが知られている（たとえば、特許文献１参照）。
【０００３】
上記特許文献１には、音楽ＣＤ（Ｃｏｍｐａｃｔ  Ｄｉｓｃ）に記憶されたＡＶコンテンツをハードディスクに記憶するリッピング部を備えたＡＶシステムが開示されている。このＡＶシステムは、パソコンおよびホームサーバを備える。そして、パソコンは、音楽ＣＤからＡＶコンテンツをハードディスクに記憶する際に、ホームサーバと接続して認証（リッピング処理の許可）されるように構成されている。また、パソコンは、ホームサーバとの認証が失敗した場合には、ＡＶコンテンツのリッピング処理を行わないように構成されている。これにより、ＡＶコンテンツが、音楽ＣＤから無制限にリッピング処理されるのを抑制することが可能に構成されている。
【先行技術文献】
【特許文献】
【０００４】
【特許文献１】特開２００４−６３０３２号公報
【発明の概要】
【発明が解決しようとする課題】
【０００５】
ここで、ＢＤＡ（Ｂｌｕ−ｒａｙ（登録商標）  Ｄｉｓｃ  Ａｓｓｏｃｉａｔｉｏｎ）などにより新たなブルーレイディスクの規格が策定中である。この新たなブルーレイディスクの規格には、記憶媒体（ブルーレイディスク）に記憶されているコンテンツを２次記憶媒体（内部記憶部または外部記憶部）に記憶する（リッピング処理する）ことを許す著作権管理方法（たとえば、ＢＤ  Ｂｒｉｄｇｅ）が含まれる予定である。この場合、コンテンツ再生装置を、外部記憶媒体からコンテンツ（および広告データ）をリッピング処理する際に、インターネットを介して、著作権管理サーバに接続させて、著作権管理サーバからリッピング処理の許可を得てからリッピング処理を開始する方法が検討されている。
【０００６】
そして、上記のコンテンツ再生装置は、コンテンツをリッピング処理する際には、コンテンツに加えて、外部記憶媒体の発売時の広告データが記憶される。このため、ユーザは、外部記憶媒体に記憶された（発売時の古い）広告データしか、視聴できないという不都合がある。すなわち、ユーザは、新しい（最新の）広告データを視聴することができないという問題点がある。
【０００７】
この発明は、上記のような課題を解決するためになされたものであり、この発明の１つの目的は、コンテンツの著作権を保護しながら、新しい（最新の）広告データを視聴させることが可能なコンテンツ再生装置および広告データ配信システムを提供することである。
【課題を解決するための手段】
【０００８】
上記目的を達成するために、この発明の第１の局面によるコンテンツ再生装置は、コンテンツ再生装置本体と、外部記憶媒体からコンテンツを読み出すとともに、読み出したコンテンツをコンテンツ再生装置本体の内部に設けられた内部記憶部または外部記憶部に記憶するリッピング処理を行う制御部とを備え、制御部は、外部著作権管理サーバによりリッピング処理が許可された場合に、外部著作権管理サーバから取得した広告データを、リッピング処理時またはコンテンツの再生開始時に再生する制御を行うように構成されている。なお、リッピング処理時とは、リッピング処理中（コンテンツおよび広告データを内部記憶部または外部記憶部に記憶している最中）に限らず、リッピング処理開始前の著作権管理サーバとの認証中（リッピング処理の許可を得るため）の期間を含む、より広い概念の期間を表す。
【０００９】
この発明の第１の局面によるコンテンツ再生装置では、上記のように、制御部を、外部著作権管理サーバによりリッピング処理が許可された場合に、外部著作権管理サーバから取得した広告データを、リッピング処理時またはコンテンツの再生開始時に再生する制御を行うように構成する。これにより、外部著作権管理サーバがリッピング処理を許可しない場合には、コンテンツのリッピング処理が行われない。その結果、コンテンツが無制限にリッピング処理されないので、コンテンツの著作権を保護することができる。また、外部著作権管理サーバから広告データを取得して再生するので、ユーザに新しい広告データを視聴させることができる。その結果、コンテンツの著作権を保護しながら、新しい広告データを視聴させることができる。
【００１０】
上記第１の局面によるコンテンツ再生装置において、好ましくは、制御部は、リッピング処理開始時に、リッピング処理の処理回数がリッピング処理の制限回数以内であると外部著作権管理サーバが判断して外部著作権管理サーバによりリッピング処理が許可された場合に、外部著作権管理サーバから取得した広告データを、リッピング処理時またはコンテンツの再生開始時に再生する制御を行うように構成されている。このように構成すれば、リッピング処理を複数回行った場合でも、その都度、新しい広告データをユーザに視聴させることができる。
【００１１】
上記第１の局面によるコンテンツ再生装置において、好ましくは、制御部は、リッピング処理開始時に、外部著作権管理サーバによりリッピング処理が許可された場合に、外部著作権管理サーバから最新の広告データを取得して、取得した最新の広告データを、リッピング処理時またはコンテンツの再生開始時に再生する制御を行うように構成されている。このように構成すれば、ユーザに最新の広告データを視聴させることができる。
【００１２】
この場合、好ましくは、外部記憶媒体には、コンテンツおよび広告データが予め記憶されており、制御部は、リッピング処理開始時に、外部著作権管理サーバによりリッピング処理が許可された場合に、外部著作権管理サーバから最新の広告データを取得して、外部記憶媒体に記憶されているコンテンツと、取得した最新の広告データとを、内部記憶部または外部記憶部に記憶する制御を行うように構成されている。このように構成すれば、外部記憶媒体に記憶されていた広告データを、最新の広告データに差し替えて、内部記憶部または外部記憶部に記憶することができる。その結果、容易に、ユーザに最新の広告データを視聴させることができる。
【００１３】
上記第１の局面によるコンテンツ再生装置において、好ましくは、外部記憶媒体には、コンテンツおよび広告データが予め記憶されており、制御部は、リッピング処理時に、広告データを内部記憶部または外部記憶部に記憶しないで、コンテンツの再生開始時に、外部著作権管理サーバから広告データをストリーミングして再生する制御を行うように構成されている。このように構成すれば、広告データが内部記憶部または外部記憶部に記憶されない分、リッピング処理のための内部記憶部または外部記憶部を使用する容量を削減することができる。
【００１４】
上記第１の局面によるコンテンツ再生装置において、好ましくは、制御部は、外部著作権管理サーバが最新の広告データを送信するか否かを判断するための内部記憶部または外部記憶部に記憶されている広告データの情報を、外部著作権管理サーバに送信して、最新の広告データと内部記憶部または外部記憶部に記憶されている広告データとが一致する場合には、外部著作権管理サーバから最新の広告データが送信されないで、最新の広告データと内部記憶部または外部記憶部に記憶されている広告データとが一致しない場合には、外部著作権管理サーバから最新の広告データが送信されるとともに、外部著作権管理サーバから最新の広告データが送信された場合に、最新の広告データを取得する制御を行うように構成されている。このように構成すれば、内部記憶部または外部記憶部に記憶されている広告データが、最新の広告データでない場合にのみ、外部著作権管理サーバから広告データが送信されるので、コンテンツ再生装置と外部著作権管理サーバとの通信量の増大を抑制することができる。また、内部記憶部または外部記憶部に記憶されている広告データが、最新の広告データである場合には、広告データは送信されないので、リッピング処理に要する時間を省くことができる。
【００１５】
上記第１の局面によるコンテンツ再生装置において、好ましくは、外部著作権管理サーバは、互いに内容が異なる複数の広告データを含み、制御部は、これまでのリッピング処理されたコンテンツの内容に関する履歴情報であるリッピング履歴情報と、リッピング処理されたコンテンツの再生回数の情報である再生回数情報とのうちの少なくとも一方を、外部著作権管理サーバに送信して、外部著作権管理サーバから、複数の広告データのうちのリッピング履歴情報と再生回数情報とのうちの少なくとも一方に基づいた広告データを取得する制御を行うように構成されている。ここで、ユーザが好むコンテンツは、リッピング処理の回数および再生回数が多くなると考えられる。そこで、上記のように複数の広告データのうちのリッピング履歴情報と再生回数情報とのうちの少なくとも一方に基づいた広告データを取得することにより、ユーザの嗜好性に応じた広告データを取得することができる。
【００１６】
上記第１の局面によるコンテンツ再生装置において、好ましくは、制御部は、内部記憶部または外部記憶部の記憶容量の残量情報を、外部著作権管理サーバに送信して、著作権管理サーバから残量情報に応じた容量を有する広告データを取得する制御を行うように構成されている。このように構成すれば、内部記憶部または外部記憶部の記憶容量の残量が少ない場合でも、たとえば、広告データの画質を落とすこと等により、外部著作権管理サーバから広告データを取得することができる。
【００１７】
上記第１の局面によるコンテンツ再生装置において、好ましくは、ユーザからの操作を受け付け可能に構成された操作部をさらに備え、制御部は、リッピング処理時に、ユーザの操作部を用いた選択操作に基づいて、外部著作権管理サーバから広告データを取得するか否かを判断する制御を行うように構成されている。このように構成すれば、ユーザの必要性に応じて外部著作権管理サーバから広告データを取得することができる。たとえば、広告データの取得に要する時間を省略するために、外部著作権管理サーバから広告データを取得することを拒否することができる。
【００１８】
上記第１の局面によるコンテンツ再生装置において、好ましくは、広告データは、第１広告データと第１広告データよりも再生時間が長い第２広告データとを含み、制御部は、リッピング処理時に、外部記憶媒体または外部著作権管理サーバから第１広告データおよび第２広告データのうちの少なくとも第２広告データを取得して、取得した第１広告データおよび第２広告データのうちの少なくとも第２広告データを、内部記憶部または外部記憶部に記憶するとともに、コンテンツの再生開始時に、外部著作権管理サーバとの接続ができない場合に、第２広告データを再生した後に、コンテンツの再生を開始する制御を行うように構成されている。このように構成すれば、外部著作権管理サーバとの接続ができない場合でも、より多くの広告データをユーザに提供しながら、コンテンツの再生を開始させることができる。
【００１９】
この発明の第２の局面による広告データ配信システムは、コンテンツ再生装置本体と、記憶媒体からコンテンツを読み出すとともに、読み出したコンテンツをコンテンツ再生装置本体の内部に設けられた内部記憶部または外部記憶部に記憶するリッピング処理を行う装置側制御部とを含む、コンテンツ再生装置と、コンテンツ再生装置と接続可能に構成され、コンテンツ再生装置と接続された際に、リッピング処理を許可するサーバ側制御部と、サーバ側制御部により読み出し可能に構成された広告データが予め記憶されているサーバ側記憶部とを含む、著作権管理サーバとを備え、装置側制御部は、著作権管理サーバによりリッピング処理が許可された場合に、著作権管理サーバから取得した広告データを、リッピング処理時またはコンテンツの再生開始時に再生する制御を行うように構成されている。
【００２０】
上記第２の局面による広告データ配信システムでは、上記のように、装置側制御部を、著作権管理サーバによりリッピング処理が許可された場合に、著作権管理サーバから取得した広告データを、リッピング処理時またはコンテンツの再生開始時に再生する制御を行うように構成する。これにより、第２の局面による広告データ配信システムにおいても、コンテンツの著作権を保護しながら、新しい広告データを視聴させることができる。
【発明の効果】
【００２１】
本発明によれば、上記のように、コンテンツの著作権を保護しながら、新しい（最新の）広告データを視聴させることができる。
【図面の簡単な説明】
【００２２】
【図１】本発明の第１実施形態によるコンテンツ再生装置の全体構成を示したブロック図である。
【図２】本発明の第１実施形態によるリッピング制御処理を説明するためのフローチャートである。
【図３】本発明の第２実施形態によるリッピング制御処理を説明するためのフローチャートである。
【図４】本発明の第３実施形態によるリッピング制御処理を説明するためのフローチャートである。
【図５】本発明の第３実施形態によるコンテンツ再生制御処理を説明するためのフローチャートである。
【図６】本発明の第４実施形態によるコンテンツ再生装置の全体構成を示したブロック図である。
【図７】本発明の第４実施形態によるリッピング制御処理を説明するためのフローチャートである。
【図８】本発明の第５実施形態によるリッピング制御処理を説明するためのフローチャートである。
【図９】本発明の第６実施形態によるコンテンツ再生装置の全体構成を示したブロック図である。
【図１０】本発明の第６実施形態によるリッピング制御処理を説明するためのフローチャートである。
【図１１】本発明の第７実施形態によるサーバ側広告データを要求するか否かの判断を促す表示を説明するための図である。
【図１２】本発明の第７実施形態によるリッピング制御処理を説明するためのフローチャートである。
【図１３】本発明の第７実施形態によるリッピング開始要求信号および広告要求信号の送信処理を説明するためのフローチャートである。
【図１４】本発明の第８実施形態によるコンテンツ再生装置の全体構成を示したブロック図である。
【図１５】本発明の第８実施形態によるリッピング制御処理を説明するためのフローチャート（１）である。
【図１６】本発明の第８実施形態によるリッピング制御処理を説明するためのフローチャート（２）である。
【図１７】本発明の第９実施形態によるコンテンツ再生装置の全体構成を示したブロック図である。
【図１８】本発明の第９実施形態によるリッピング制御処理を説明するためのフローチャートである。
【図１９】本発明の第９実施形態によるコンテンツの再生制御処理を説明するためのフローチャートである。
【発明を実施するための形態】
【００２３】
以下、本発明の実施形態を図面に基づいて説明する。
【００２４】
（第１実施形態）
図１を参照して、本発明の第１実施形態による広告データ配信システム１００の構成について説明する。
【００２５】
本発明の第１実施形態による広告データ配信システム１００には、図１に示すように、ブルーレイディスク（ＢＤ）レコーダ１が設けられている。ＢＤレコーダ１は、ブルーレイディスク２を内部に挿入可能に構成されている。また、ＢＤレコーダ１は、外部のリムーバブルメモリ３と接続可能に構成されている。なお、ＢＤレコーダ１は、本発明の「コンテンツ再生装置」の一例である。また、ブルーレイディスク２は、本発明の「外部記憶媒体」の一例である。また、リムーバブルメモリ３は、本発明の「外部記憶部」の一例である。
【００２６】
また、広告データ配信システム１００には、著作権管理サーバ４が設けられている。著作権管理サーバ４は、インターネット６を介してＢＤレコーダ１と通信可能に構成されている。
【００２７】
また、広告データ配信システム１００には、テレビジョン装置５が設けられている。テレビジョン装置５は、ＢＤレコーダ１とケーブルを介して接続されている。
【００２８】
そして、ブルーレイディスク２は、映像および音声などからなるコンテンツ２１と、コンテンツ２１の制作元であるメーカの広告情報やコンテンツ２１に関する案内情報などを含むディスク側広告データ２２とが予め記憶されている。
【００２９】
また、図１に示すように、リムーバブルメモリ３は、不揮発性メモリからなり、ＢＤレコーダ１の後述するＵＳＢ（Ｕｎｉｖｅｒｓａｌ  Ｓｅｒｉａｌ  Ｂｕｓ）接続部１４に接続可能に構成されている。そして、リムーバブルメモリ３は、ＵＳＢ接続部１４を介して、ＢＤレコーダ１と、データ（たとえば、コンテンツ２１およびディスク側広告データ２２など）を送受信することが可能に構成されている。そして、リムーバブルメモリ３は、受信したデータを内部に記憶可能に構成されている。
【００３０】
そして、図１に示すように、ＢＤレコーダ１には、制御部１１が設けられている。制御部１１は、ＣＰＵ（Ｃｅｎｔｒａｌ  Ｐｒｏｃｅｓｓｉｎｇ  Ｕｎｉｔ）を含む。また、制御部１１は、ＢＤレコーダ１の各部に制御信号を伝達することによって、ＢＤレコーダ１全体を制御するように構成されている。
【００３１】
また、ＢＤレコーダ１には、通信部１２が設けられている。通信部１２は、インターネット６を介して、著作権管理サーバ４と接続可能に構成されている。
【００３２】
また、ＢＤレコーダ１には、ＢＤドライブ１３が設けられている。ＢＤドライブ１３は、ブルーレイディスク２をＢＤレコーダ１の内部に挿入させることが可能に構成されている。また、ＢＤドライブ１３は、青紫色半導体レーザ（図示せず）などを含み、制御部１１の指令に基づいて、ブルーレイディスク２に格納されたコンテンツ２１およびディスク側広告データ２２を読み出し可能に構成されている。
【００３３】
また、ＢＤレコーダ１には、ＵＳＢ接続部１４が設けられている。ＵＳＢ接続部１４は、ＵＳＢ規格に基づいた端子を含み、リムーバブルメモリ３と接続可能に構成されている。そして、ＢＤレコーダ１は、ＵＳＢ接続部１４を介して、コンテンツ２１などのデータをリムーバブルメモリ３に送受信するように構成されている。
【００３４】
また、ＢＤレコーダ１には、ハードディスクドライブ１５が設けられている。ハードディスクドライブ１５は、ブルーレイディスク２から取得されたコンテンツ２１およびディスク側広告データ２２が記憶されるように構成されている。また、ハードディスクドライブ１５は、制御部１１の指令に基づいて、記憶されているコンテンツ２１およびディスク側広告データ２２などを読み出し可能に構成されている。なお、ハードディスクドライブ１５は、本発明の「内部記憶部」の一例である。
【００３５】
また、ＢＤレコーダ１には、ＲＡＭ（Ｒａｎｄｏｍ  Ａｃｃｅｓｓ  Ｍｅｍｏｒｙ）１５ａが設けられている。ＲＡＭ１５ａは、ＢＤレコーダ１が著作権管理サーバ４から後述するサーバ側広告データ２２ａを取得した場合（ストリーミングする際）に、取得したサーバ側広告データ２２ａを一時的に記憶可能に構成されている。
【００３６】
また、図１に示すように、ＢＤレコーダ１には、テレビジョン装置５の後述する表示部５３に画像を出力可能なＯＳＤ（Ｏｎ−Ｓｃｒｅｅｎ  Ｄｉｓｐｌａｙ）部１６が設けられている。ＯＳＤ部１６は、制御部１１の指令に基づいて、画像（たとえば、再生させるコンテンツをユーザに選択させるための画面（図示せず）など）を出力可能に構成されている。
【００３７】
また、ＢＤレコーダ１には、接続部１７が設けられている。接続部１７は、ケーブルを介して、テレビジョン装置５と接続可能に構成されている。そして、接続部１７は、コンテンツ２１およびディスク側広告データ２２などの映像音声信号およびＯＳＤ部１６から出力された画像などを、ＢＤレコーダ１からテレビジョン装置５に伝達するように構成されている。
【００３８】
また、ＢＤレコーダ１には、操作受信部１８が設けられている。操作受信部１８は、受光素子等を含む。そして、受光素子は、後述するリモコン１９から発光された赤外光を受光して、ユーザの操作情報を取得するように構成されている。そして、操作受信部１８は、取得したユーザの操作情報を制御部１１に伝達するように構成されている。
【００３９】
また、ＢＤレコーダ１には、リモコン１９が設けられている。リモコン１９は、ユーザの操作を受け付けるように構成されている。リモコン１９は、発光素子等を含み、受け付けたユーザの操作情報を、発光素子から赤外光を用いて、操作受信部１８に送信するように構成されている。
【００４０】
また、ＢＤレコーダ１には、ＢＤレコーダ本体部１ａが設けられている。ＢＤレコーダ本体部１ａは、上記したハードディスクドライブ１５などが内部に設けられている。なお、ＢＤレコーダ本体部１ａは、本発明の「コンテンツ再生装置本体」の一例である。
【００４１】
また、図１に示すように、著作権管理サーバ４には、制御部４１が設けられている。制御部４１は、ＣＰＵなどを含み、著作権管理サーバ４の各部に制御信号を伝達することによって著作権管理サーバ４の全体を制御するように構成されている。
【００４２】
また、著作権管理サーバ４には、記憶部４２が設けられている。記憶部４２は、市販のブルーレイディスク（ブルーレイディスク２を含む）に関するサーバ側広告データ２２ａが予め格納されている。また、記憶部４２は、ブルーレイディスク（ブルーレイディスク２を含む）のそれぞれのリッピング処理の処理回数が記憶されている。そして、制御部４１は、ＢＤレコーダ１からリッピング開始要求信号を取得して、リッピング処理を許可した場合に、リッピング処理の処理回数を１回分増やすように構成されている。また、制御部４１は、リッピング処理の処理回数がリッピング処理の制限回数（たとえば、１０回）以内でない場合には、コンテンツ２１の再生を許可しないように構成されている。
【００４３】
ここで、第１実施形態では、著作権管理サーバ４は、サーバ側広告データ２２ａの内容を最新の内容に更新するように構成されている。たとえば、ブルーレイディスク２が発売された時には、ディスク側広告データ２２とサーバ側広告データ２２ａとの内容は、一致するように構成されている。一方、期間が経過した場合には、サーバ側広告データ２２ａの内容は、最新の内容に更新されるので、ディスク側広告データ２２とサーバ側広告データ２２ａとの内容は、一致しない。
【００４４】
また、著作権管理サーバ４には、通信部４３が設けられている。通信部４３は、インターネット６と通信可能に構成されている。そして、通信部４３は、インターネット６を介して、ＢＤレコーダ１とデータを送受信可能に構成されている。
【００４５】
また、図１に示すように、テレビジョン装置５には、制御部５１が設けられている。制御部５１は、ＣＰＵなどを含み、テレビジョン装置５の各部に制御信号を伝達することによってテレビジョン装置５の全体を制御するように構成されている。
【００４６】
また、テレビジョン装置５には、接続部５２が設けられている。接続部５２は、ＢＤレコーダ１とケーブルを介して接続可能に構成されている。そして、接続部５２は、映像音声および画像データ（コンテンツ２１など）を受信可能に構成されている。
【００４７】
また、テレビジョン装置５には、表示部５３が設けられている。上記したように、表示部５３は、接続部５２を介して、受信したコンテンツ２１などを、制御部５１の指令に基づいて、表示するように構成されている。
【００４８】
次に、図２を参照して、第１実施形態による広告データ配信システム１００のリッピング制御処理フローについて説明する。ＢＤレコーダ１における処理は、制御部１１により行われる。また、著作権管理サーバ４における処理は、制御部４１により行われる。
【００４９】
ここで、第１実施形態では、リッピング処理開始時に、リッピング処理の処理回数がリッピング処理の制限回数以内であると著作権管理サーバ４により判断され、著作権管理サーバ４によりリッピング処理が許可された場合に、著作権管理サーバ４から取得したサーバ側広告データ２２ａが、リッピング処理時に再生される。以下、具体的に説明する。
【００５０】
まず、図２に示すように、ステップＳ１において、ＢＤレコーダ１では、リッピング開始要求信号が著作権管理サーバ４に送信される。その後、ステップＳ２に進む。
【００５１】
そして、ステップＳ２において、著作権管理サーバ４から送信された後述するリッピング可否通知信号の取得が行われる。その後、ステップＳ３に進む。
【００５２】
そして、ステップＳ３において、リッピング処理が許可されたか否かが判断される。すなわち、著作権管理サーバ４によりリッピング処理を許可することを示すリッピング可否通知信号を取得した場合には、ステップＳ４に進み、著作権管理サーバ４によりリッピング処理を許可しないことを示すリッピング可否通知信号を取得した場合には、ＢＤレコーダ１におけるリッピング制御処理フローは終了される。
【００５３】
そして、ステップＳ４において、サーバ側広告データ２２ａがダウンロードされるとともに、サーバ側広告データ２２ａが再生される。すなわち、著作権管理サーバ４から送信されたサーバ側広告データ２２ａを取得して、取得されたサーバ側広告データ２２ａは、ＲＡＭ１５ａに記憶される。そして、記憶されたサーバ側広告データ２２ａがＲＡＭ１５ａから読み出され、テレビジョン装置５に送信される。そして、サーバ側広告データ２２ａは、テレビジョン装置５により表示部５３に表示される。すなわち、テレビジョン装置５の表示部５３には、最新の広告データ（サーバ側広告データ２２ａ）の表示が行われる。
【００５４】
そして、ステップＳ５において、サーバ側広告データ２２ａの再生が完了したか否かが判断される。サーバ側広告データ２２ａの再生が完了するまでこの判断は繰り返され、サーバ側広告データ２２ａの再生が完了した場合に、ステップＳ６に進む。
【００５５】
そして、ステップＳ６において、ディスク側広告データ２２およびコンテンツ２１がブルーレイディスク２からハードディスクドライブ１５またはリムーバブルメモリ３に記憶される（リッピング処理される）。その後、ＢＤレコーダ１におけるリッピング制御処理フローは終了される。
【００５６】
一方、著作権管理サーバ４では、図２に示すように、ステップＳ１１において、ＢＤレコーダ１から送信されたリッピング開始要求信号の取得が行われる。その後、ステップＳ１２に進む。
【００５７】
そして、ステップＳ１２において、リッピング開始要求信号に基づいて、記憶部４２に記憶されているリッピング処理の処理回数が読み出され、リッピング処理の制限回数以内であるか否かが判断される。リッピング処理の制限回数以内でない（制限回数を超えている）場合、ステップＳ１３に進み、リッピング処理の制限回数以内である場合には、ステップＳ１４に進む。
【００５８】
そして、ステップＳ１３において、リッピング処理を許可しないことを示すリッピング可否通知信号がＢＤレコーダ１に送信される。その後、著作権管理サーバ４におけるリッピング制御処理フローは終了される。
【００５９】
また、ステップＳ１２においてリッピング処理の制限回数以内である場合に進むステップＳ１４において、リッピング処理を許可することを示すリッピング可否通知信号がＢＤレコーダ１に送信される。その後、ステップＳ１５に進む。
【００６０】
そして、ステップＳ１５において、サーバ側広告データ２２ａがＢＤレコーダ１に送信される。その後、著作権管理サーバ４におけるリッピング制御処理フローは終了される。
【００６１】
第１実施形態では、以下のような効果を得ることができる。
【００６２】
第１実施形態では、上記のように、ＢＤレコーダ１の制御部１１を、著作権管理サーバ４によりリッピング処理が許可された場合に、著作権管理サーバ４から取得したサーバ側広告データ２２ａを、リッピング処理時に再生する制御を行うように構成する。これにより、著作権管理サーバ４がリッピング処理を許可しない場合には、コンテンツ２１のリッピング処理が行われない。その結果、コンテンツ２１が無制限にリッピング処理されないので、コンテンツ２１の著作権を保護することができる。また、著作権管理サーバ４からサーバ側広告データ２２ａを取得して再生するので、ユーザに新しいサーバ側広告データ２２ａを視聴させることができる。その結果、コンテンツ２１の著作権を保護しながら、新しいサーバ側広告データ２２ａを視聴させることができる。
【００６３】
また、第１実施形態では、上記のように、ＢＤレコーダ１の制御部１１を、リッピング処理開始時に、リッピング処理の処理回数がリッピング処理の制限回数以内であると著作権管理サーバ４が判断して著作権管理サーバ４によりリッピング処理が許可された場合に、著作権管理サーバから取得したサーバ側広告データ２２ａを、リッピング処理時に再生する制御を行うように構成する。これにより、リッピング処理を複数回行った場合でも、その都度、新しいサーバ側広告データ２２ａをユーザに視聴させることができる。
【００６４】
また、第１実施形態では、上記のように、ＢＤレコーダ１の制御部を、リッピング処理開始時に、著作権管理サーバ４によりリッピング処理が許可された場合に、著作権管理サーバ４から最新の広告データ（サーバ側広告データ２２ａ）を取得して、取得した最新の広告データ（サーバ側広告データ２２ａ）を、リッピング処理時に再生する制御を行うように構成する。これにより、ユーザに最新の広告データ（サーバ側広告データ２２ａ）を視聴させることができる。
【００６５】
（第２実施形態）
次に、図１を参照して、第２実施形態による広告データ配信システム２００の構成について説明する。第２実施形態では、リッピング処理の際に、コンテンツとディスク側広告データとがハードディスクドライブまたはリムーバブルメモリに記憶されるように構成されていた、第１実施形態による広告データ配信システム１００と異なり、リッピング処理の際に、コンテンツとサーバ側広告データとがハードディスクドライブまたはリムーバブルメモリに記憶されるように構成されている。
【００６６】
図１に示すように、第２実施形態による広告データ配信システム２００は、ＢＤレコーダ２０１を含む。そして、ＢＤレコーダ２０１は、制御部２１１を含む。また、第２実施形態による広告データ配信システム２００のその他の構成は、第１実施形態における広告データ配信システム１００と同様である。
【００６７】
次に、図３を参照して、第２実施形態による広告データ配信システム２００のリッピング制御処理フローについて説明する。ＢＤレコーダ２０１における処理は、制御部２１１により行われる。また、著作権管理サーバ４における処理は、制御部４１により行われる。
【００６８】
ここで、第２実施形態では、リッピング処理開始時に、著作権管理サーバ４によりリッピング処理が許可された場合に、著作権管理サーバ４から最新の広告データ（サーバ側広告データ２２ａ）を取得して、ブルーレイディスク２に記憶されているコンテンツ２１と、取得した最新の広告データ（サーバ側広告データ２２ａ）とが、ハードディスクドライブ１５またはリムーバブルメモリ３に記憶される。
【００６９】
まず、図３に示すように、ＢＤレコーダ２０１では、ステップＳ１〜Ｓ３においては、第１実施形態におけるリッピング制御処理フロー（図２参照）におけるステップＳ１〜Ｓ３と同様の処理が行われる。そして、第２実施形態では、ステップＳ３において、リッピング処理が許可された場合に、ステップＳ１０１に進む。
【００７０】
そして、ステップＳ１０１において、著作権管理サーバ４からサーバ側広告データ２２ａがダウンロードされる。すなわち、著作権管理サーバ４から送信されたサーバ側広告データ２２ａを取得して、取得されたサーバ側広告データ２２ａは、ＲＡＭ１５ａに記憶される。その後、ステップＳ１０２に進む。
【００７１】
そして、ステップＳ１０２において、著作権管理サーバ４から取得したサーバ側広告データ２２ａと、ブルーレイディスク２から取得したコンテンツ２１とが、ハードディスクドライブ１５またはリムーバブルメモリ３に記憶される（リッピング処理される）。そして、サーバ側広告データ２２ａが再生される。その後、ＢＤレコーダ２０１におけるリッピング制御処理フローは終了される。
【００７２】
一方、著作権管理サーバ４では、図３に示すように、ステップＳ１１〜Ｓ１５においては、第１実施形態におけるリッピング制御処理フロー（図２参照）におけるステップＳ１１〜Ｓ１５と同様の処理が行われる。その後、著作権管理サーバ４におけるリッピング制御処理フローは終了される。
【００７３】
第２実施形態では、以下のような効果を得ることができる。
【００７４】
第２実施形態では、上記のように、ブルーレイディスク２には、コンテンツ２１およびディスク側広告データ２２が予め記憶されており、ＢＤレコーダ２０１の制御部２１１を、リッピング処理開始時に、著作権管理サーバ４によりリッピング処理が許可された場合に、著作権管理サーバ４から最新の広告データ（サーバ側広告データ２２ａ）を取得して、ブルーレイディスク２に記憶されているコンテンツ２１と、取得した最新の広告データ（サーバ側広告データ２２ａ）とを、ハードディスクドライブ１５またはリムーバブルメモリ３に記憶する制御を行うように構成する。これにより、ブルーレイディスク２に記憶されていたディスク側広告データ２２を、最新の広告データ（サーバ側広告データ２２ａ）に差し替えて、ハードディスクドライブ１５またはリムーバブルメモリ３に記憶することができる。その結果、容易に、ユーザに最新の広告データ（サーバ側広告データ２２ａ）を視聴させることができる。また、第２実施形態による広告データ配信システム２００のその他の効果は、第１実施形態における広告データ配信システム１００と同様である。
【００７５】
（第３実施形態）
次に、図１を参照して、第３実施形態による広告データ配信システム３００の構成について説明する。第３実施形態では、リッピング処理の際に、コンテンツとディスク側広告データとがハードディスクドライブまたはリムーバブルメモリに記憶されるように構成されていた、第１実施形態による広告データ配信システム１００と異なり、コンテンツの再生開始時に、著作権管理サーバからサーバ側広告データをストリーミングして再生する制御を行うように構成されている。
【００７６】
図１に示すように、第３実施形態による広告データ配信システム３００は、ＢＤレコーダ３０１と著作権管理サーバ３０４を含む。そして、ＢＤレコーダ３０１は、制御部３１１を含む。また、著作権管理サーバ３０４は、制御部３４１を含む。また、第３実施形態による広告データ配信システム３００のその他の構成は、第１実施形態における広告データ配信システム１００と同様である。
【００７７】
次に、図４を参照して、第３実施形態による広告データ配信システム３００のリッピング制御処理フローについて説明する。ＢＤレコーダ３０１における処理は、制御部３１１により行われる。また、著作権管理サーバ３０４における処理は、制御部３４１により行われる。
【００７８】
まず、図４に示すように、ＢＤレコーダ３０１では、ステップＳ１〜Ｓ５においては、第１実施形態におけるリッピング制御処理フロー（図２参照）におけるステップＳ１〜Ｓ５と同様の処理が行われる。そして、第３実施形態では、ステップＳ５の処理の後、ステップＳ２０１に進む。
【００７９】
そして、ステップＳ２０１において、ブルーレイディスク２から取得したコンテンツ２１が、ハードディスクドライブ１５またはリムーバブルメモリ３に記憶される（リッピング処理される）。すなわち、第３実施形態では、リッピング処理時には、ディスク側広告データ２２は、第１実施形態によるリッピング制御処理とは異なり、ハードディスクドライブ１５またはリムーバブルメモリ３に記憶されない。その後、ＢＤレコーダ３０１におけるリッピング制御処理フローは終了される。
【００８０】
一方、著作権管理サーバ３０４では、図４に示すように、ステップＳ１１〜Ｓ１５においては、第１実施形態におけるリッピング制御処理フロー（図２参照）におけるステップＳ１１〜Ｓ１５と同様の処理が行われる。その後、著作権管理サーバ３０４におけるリッピング制御処理フローは終了される。
【００８１】
次に、図５を参照して、第３実施形態による広告データ配信システム３００のコンテンツ再生制御処理フローについて説明する。なお、ＢＤレコーダ３０１における処理は、制御部３１１により行われる。また、著作権管理サーバ３０４における処理は、制御部３４１により行われる。また、広告データ配信システム３００のコンテンツ再生制御処理は、上記した広告データ配信システム３００のリッピング制御処理（図４参照）の後に実行される。
【００８２】
まず、図５に示すように、ＢＤレコーダ３０１では、ステップＳ２０２において、再生要求信号が著作権管理サーバ３０４に送信される。その後、ステップＳ２０３に進む。
【００８３】
そして、ステップＳ２０３において、著作権管理サーバ３０４からサーバ側広告データ２２ａがストリーミングされ、サーバ側広告データ２２ａが再生される。すなわち、著作権管理サーバ３０４から送付されたサーバ側広告データ２２ａをＲＡＭ１５ａに一時的に記憶しながら、サーバ側広告データ２２ａの再生が行われる。その後、ステップＳ２０４に進む。
【００８４】
そして、ステップＳ２０４において、サーバ側広告データ２２ａの再生が完了したか否かが判断される。サーバ側広告データ２２ａの再生が完了するまでこの判断は繰り返され、サーバ側広告データ２２ａの再生が完了した場合に、ステップＳ２０５に進む。
【００８５】
そして、ステップＳ２０５において、コンテンツ２１の再生が行われる。すなわち、ハードディスクドライブ１５またはリムーバブルメモリ３に記憶されているコンテンツ２１が読み出されるとともに、テレビジョン装置５に送信される。そして、テレビジョン装置５の表示部５３にコンテンツ２１が表示される。その後、ＢＤレコーダ３０１におけるコンテンツ再生制御処理フローは終了される。
【００８６】
一方、著作権管理サーバ３０４では、図５に示すように、ステップＳ２１１において、ＢＤレコーダ３０１から送信された再生要求信号の取得が行われる。その後、ステップＳ２１２に進む。
【００８７】
そして、ステップＳ２１２において、サーバ側広告データ２２ａがＢＤレコーダ３０１に送信される。その後、著作権管理サーバ３０４におけるコンテンツ再生制御処理フローは終了される。
【００８８】
第３実施形態では、以下のような効果を得ることができる。
【００８９】
第３実施形態では、上記のように、ＢＤレコーダ３０１の制御部３１１を、リッピング処理時に、ディスク側広告データ２２をハードディスクドライブ１５またはリムーバブルメモリ３に記憶しないで、コンテンツ２１の再生開始時に、著作権管理サーバ３０４からサーバ側広告データ２２ａをストリーミングして再生する制御を行うように構成する。これにより、ディスク側広告データ２２がハードディスクドライブ１５またはリムーバブルメモリ３に記憶されない分、リッピング処理のためのハードディスクドライブ１５またはリムーバブルメモリ３を使用する容量を削減することができる。また、第３実施形態による広告データ配信システム３００のその他の効果は、第１実施形態における広告データ配信システム１００と同様である。
【００９０】
（第４実施形態）
次に、図６を参照して、第４実施形態による広告データ配信システム４００の構成について説明する。第４実施形態では、著作権管理サーバの記憶部には、互いに内容が異なる複数のサーバ側広告データが予め記憶されており、著作権管理サーバの制御部は、複数のサーバ側広告データのうちのＢＤレコーダがリッピング処理したコンテンツの内容情報とリッピング処理の処理回数とに基づいたサーバ側広告データを、ＢＤレコーダに送信する制御を行うように構成されている。
【００９１】
図６に示すように、第４実施形態による広告データ配信システム４００は、ＢＤレコーダ１と著作権管理サーバ４０４とを含む。そして、著作権管理サーバ４０４は、制御部４４１と記憶部４４２とを含む。なお、ＢＤレコーダ１は、第１実施形態によるＢＤレコーダ１と同様に構成されている。
【００９２】
ここで、第４実施形態では、著作権管理サーバ４０４の記憶部４４２には、互いに内容が異なる複数のサーバ側広告データ４２２ａ〜４２２ｃが予め記憶されている。また、記憶部４４２には、市販のＢＤレコーダ毎（ＢＤレコーダ１を含む）のコンテンツ（コンテンツ２１を含む）の内容情報と、コンテンツ（コンテンツ２１を含む）のリッピング処理の処理回数が記憶されている。そして、著作権管理サーバ４０４の制御部４４１は、著作権管理サーバ４０４からＢＤレコーダ１にサーバ側広告データ（サーバ側広告データ４２２ａ〜４２２ｃのうちのいずれか）を送信する際に、ＢＤレコーダ１に関するコンテンツの内容情報とリッピング処理の処理回数に基づいて、サーバ側広告データ４２２ａ〜４２２ｃのうちのいずれを送信するかを選択するように構成されている。
【００９３】
たとえば、サーバ側広告データ４２２ａの内容は、Ａメーカに関する広告であり、サーバ側広告データ４２２ｂの内容は、Ｂメーカに関する広告であり、サーバ側広告データ４２２ｃの内容は、Ｃメーカに関する広告である。この場合、著作権管理サーバ４０４の制御部４４１は、ＢＤレコーダ１がリッピング処理したコンテンツのうちＡメーカのコンテンツが最もリッピング処理の処理回数が多い場合には、サーバ側広告データ４２２ａを選択するとともに、ＢＤレコーダ１にサーバ側広告データ４２２ａを送信する制御を行うように構成されている。また、第４実施形態による広告データ配信システム４００のその他の構成は、第１実施形態における広告データ配信システム１００と同様である。
【００９４】
次に、図７を参照して、第４実施形態による広告データ配信システム４００のリッピング制御処理フローについて説明する。ＢＤレコーダ１における処理は、制御部１１により行われる。また、著作権管理サーバ４０４における処理は、制御部４４１により行われる。
【００９５】
まず、図７に示すように、ＢＤレコーダ１では、ステップＳ１〜Ｓ６においては、第１実施形態におけるリッピング制御処理フロー（図２参照）におけるステップＳ１〜Ｓ６と同様の処理が行われる。
【００９６】
一方、著作権管理サーバ４０４では、図７に示すように、ステップＳ１１〜Ｓ１４においては、第１実施形態におけるリッピング制御処理フロー（図２参照）におけるステップＳ１１〜Ｓ１４と同様の処理が行われる。そして、第４実施形態では、ステップＳ１４の後、ステップＳ３０１に進む。
【００９７】
そして、ステップＳ３０１において、複数のサーバ側広告データ４２２ａ〜４２２ｃのうちのＢＤレコーダ１がリッピング処理したコンテンツの内容情報とリッピング処理の処理回数とに基づいたサーバ側広告データ（サーバ側広告データ４２２ａ〜４２２ｃのうちのいずれか）の選択が行われる。その後、ステップＳ３０２に進む。
【００９８】
そして、ステップＳ３０２において、選択されたサーバ側広告データ（サーバ側広告データ４２２ａ〜４２２ｃのうちのいずれか）がＢＤレコーダ１に送信される。その後、著作権管理サーバ４０４におけるリッピング制御処理フローは終了される。
【００９９】
第４実施形態では、以下のような効果を得ることができる。
【０１００】
第４実施形態では、上記のように、著作権管理サーバ４０４の記憶部４４２には、互いに内容が異なる複数のサーバ側広告データ４２２ａ〜４２２ｃが予め記憶されており、著作権管理サーバ４０４の制御部４４１を、複数のサーバ側広告データ４２２ａ〜４２２ｃのうちのＢＤレコーダ１がリッピング処理したコンテンツの内容情報とリッピング処理の処理回数とに基づいたサーバ側広告データ（サーバ側広告データ４２２ａ〜４２２ｃのうちのいずれか）を、ＢＤレコーダ１に送信する制御を行うように構成する。ここで、ユーザが好むコンテンツは、リッピング処理の回数が多くなると考えられる。そこで、上記のように複数のサーバ側広告データ４２２ａ〜４２２ｃのうちのリッピング処理したコンテンツの内容情報とリッピング処理の処理回数とに基づいたサーバ側広告データを、ＢＤレコーダ１に送信するので、ＢＤレコーダ１は、ユーザの嗜好性に応じたサーバ側広告データを取得することができる。また、第４実施形態による広告データ配信システム４００のその他の効果は、第１実施形態における広告データ配信システム１００と同様である。
【０１０１】
（第５実施形態）
次に、図６を参照して、第５実施形態による広告データ配信システム５００の構成について説明する。第５実施形態では、著作権管理サーバの記憶部には、互いに内容が異なる複数のサーバ側広告データが予め記憶されている。また、ＢＤレコーダの制御部は、リッピング履歴情報と再生回数情報とを、著作権管理サーバに送信して、著作権管理サーバから、複数のサーバ側広告データのうちのリッピング履歴情報と再生回数情報とに基づいたサーバ側広告データを取得する制御を行うように構成されている。
【０１０２】
図６に示すように、第５実施形態による広告データ配信システム５００は、ＢＤレコーダ５０１と著作権管理サーバ５０４とを含む。
【０１０３】
ここで、第５実施形態では、ＢＤレコーダ５０１には、ハードディスクドライブ５１５が設けられている。ハードディスクドライブ５１５は、ＢＤレコーダ５０１がこれまでリッピング処理したコンテンツの内容に関する履歴情報であるリッピング履歴情報と、リッピング処理されたコンテンツの再生回数の情報である再生回数情報とが記憶されている。
【０１０４】
また、ＢＤレコーダ５０１には、制御部５１１が設けられている。制御部５１１は、ハードディスクドライブ５１５に記憶されているリッピング履歴情報と再生回数情報とを読み出すとともに、著作権管理サーバ５０４に送信する制御を行うように構成されている。
【０１０５】
また、図６に示すように、著作権管理サーバ５０４には、記憶部５４２が設けられている。記憶部５４２は、互いに内容が異なる複数のサーバ側広告データ５２２ａ〜５２２ｃが予め記憶されている。
【０１０６】
また、著作権管理サーバ５０４には、制御部５４１が設けられている。制御部５４１は、著作権管理サーバ５０４からＢＤレコーダ５０１にサーバ側広告データ（サーバ側広告データ５２２ａ〜５２２ｃのうちのいずれか）を送信する際に、ＢＤレコーダ５０１からリッピング履歴情報と再生回数情報とを取得して、取得したリッピング履歴情報と再生回数情報とに基づいたサーバ側広告データ（サーバ側広告データ５２２ａ〜５２２ｃのうちのいずれか）を送信する制御を行うように構成されている。
【０１０７】
たとえば、サーバ側広告データ５２２ａの内容は、Ａジャンルに関する内容の広告であり、サーバ側広告データ５２２ｂの内容は、Ｂジャンルに関する内容の広告であり、サーバ側広告データ５２２ｃの内容は、Ｃジャンルに関する内容の広告である。この場合、著作権管理サーバ５０４の制御部５４１は、取得したリッピング履歴情報に基づいて、ＢＤレコーダ５０１がリッピング処理したコンテンツのうちのどのジャンルのコンテンツが最も多いかを判断する。たとえば、Ａジャンルのコンテンツが最も多い場合には、制御部５４１は、サーバ側広告データ５２２ａを選択するとともに、ＢＤレコーダ５０１にサーバ側広告データ５２２ａを送信する制御を行うように構成されている。
【０１０８】
また、Ａジャンル、ＢジャンルおよびＣジャンルが同数の場合には、著作権管理サーバ５０４の制御部５４１は、取得した再生回数情報に基づいて、Ａジャンル、ＢジャンルおよびＣジャンルのうちの最も再生回数が多いジャンルに関するサーバ側広告データを選択するように構成されている。たとえば、制御部５４１は、Ａジャンルのコンテンツが最も再生回数が多い場合には、サーバ側広告データ５２２ａを選択するとともに、ＢＤレコーダ５０１にサーバ側広告データ５２２ａを送信する制御を行うように構成されている。また、第５実施形態による広告データ配信システム５００のその他の構成は、第１実施形態における広告データ配信システム１００と同様である。
【０１０９】
次に、図８を参照して、第５実施形態による広告データ配信システム５００のリッピング制御処理フローについて説明する。ＢＤレコーダ５０１における処理は、制御部５１１により行われる。また、著作権管理サーバ５０４における処理は、制御部５４１により行われる。
【０１１０】
まず、図８に示すように、ＢＤレコーダ５０１では、ステップＳ４０１において、リッピング開始要求信号とリッピング履歴情報と再生回数情報とが、著作権管理サーバ５０４に送信される。その後、ステップＳ２に進む。
【０１１１】
そして、ステップＳ２〜Ｓ６においては、第１実施形態におけるリッピング制御処理フロー（図２参照）におけるステップＳ２〜Ｓ６と同様の処理が行われる。その後、ＢＤレコーダ５０１によるリッピング制御処理フローは終了される。
【０１１２】
一方、著作権管理サーバ５０４では、図８に示すように、ステップＳ４１１において、ＢＤレコーダ５０１から送信されたリッピング開始要求信号とリッピング履歴情報と再生回数情報との取得が行われる。その後、ステップＳ１２に進む。
【０１１３】
そして、ステップＳ１２〜Ｓ１４においては、第１実施形態におけるリッピング制御処理フロー（図２参照）におけるステップＳ１２〜Ｓ１４と同様の処理が行われる。そして、第５実施形態では、ステップＳ１４の後、ステップＳ４１２に進む。
【０１１４】
そして、ステップＳ４１２において、複数のサーバ側広告データ５２２ａ〜５２２ｃのうちのリッピング履歴情報と再生回数情報とに基づいたサーバ側広告データ（サーバ側広告データ５２２ａ〜５２２ｃのうちのいずれか）の選択が行われる。その後、ステップＳ４１３に進む。
【０１１５】
そして、ステップＳ４１３において、選択されたサーバ側広告データ（サーバ側広告データ５２２ａ〜５２２ｃのうちのいずれか）がＢＤレコーダ５０１に送信される。その後、著作権管理サーバ５０４におけるリッピング制御処理フローは終了される。
【０１１６】
第５実施形態では、以下のような効果を得ることができる。
【０１１７】
第５実施形態では、上記のように、著作権管理サーバ５０４の記憶部５４２には、互いに内容が異なる複数のサーバ側広告データ５２２ａ〜５２２ｃが予め記憶されている。また、ＢＤレコーダ５０１の制御部５１１を、これまでのリッピング処理されたコンテンツの内容に関する履歴情報であるリッピング履歴情報と、リッピング処理されたコンテンツの再生回数の情報である再生回数情報とのうちの少なくとも一方を、著作権管理サーバ５０４に送信して、著作権管理サーバ５０４から、複数のサーバ側広告データ５２２ａ〜５２２ｃのうちのリッピング履歴情報と再生回数情報とのうちの少なくとも一方に基づいたサーバ側広告データ（サーバ側広告データ５２２ａ〜５２２ｃのうちのいずれか）を取得する制御を行うように構成する。ここで、ユーザが好むコンテンツは、リッピング処理の回数および再生回数が多くなると考えられる。そこで、上記のように構成することによって、ユーザの嗜好性に応じたサーバ側広告データ（サーバ側広告データ５２２ａ〜５２２ｃのうちのいずれか）を取得することができる。また、第５実施形態による広告データ配信システム５００のその他の効果は、第１実施形態における広告データ配信システム１００と同様である。
【０１１８】
（第６実施形態）
次に、図９を参照して、第６実施形態による広告データ配信システム６００の構成について説明する。第６実施形態では、ハードディスクドライブまたはリムーバブルメモリの記憶容量の残量情報を、著作権管理サーバに送信して、著作権管理サーバから残量情報に応じた容量を有するサーバ側広告データを取得する制御を行うように構成されている。
【０１１９】
図９に示すように、第６実施形態による広告データ配信システム６００は、ＢＤレコーダ６０１と著作権管理サーバ６０４とを含む。また、ＢＤレコーダ６０１は、制御部６１１を含み、著作権管理サーバ６０４は、制御部６４１を含む。また、第６実施形態による広告データ配信システム６００のその他の構成は、第１実施形態における広告データ配信システム１００と同様である。
【０１２０】
次に、図１０を参照して、第６実施形態による広告データ配信システム６００のリッピング制御処理フローについて説明する。ＢＤレコーダ６０１における処理は、制御部６１１により行われる。また、著作権管理サーバ６０４における処理は、制御部６４１により行われる。
【０１２１】
ここで、第６実施形態では、ハードディスクドライブ１５またはリムーバブルメモリ３の記憶容量の残量情報が、ＢＤレコーダ６０１から著作権管理サーバ６０４に送信され、残量情報に応じた容量を有するサーバ側広告データ２２ａが著作権管理サーバ６０４からＢＤレコーダ６０１に送信される。以下、具体的に説明する。
【０１２２】
まず、図１０に示すように、ＢＤレコーダ６０１では、ステップＳ５０１において、ハードディスクドライブ１５またはリムーバブルメモリ３の記憶容量の残量情報とリッピング開始要求信号とが、著作権管理サーバ６０４に送信される。その後、ステップＳ２に進む。
【０１２３】
そして、ステップＳ２およびステップＳ３においては、第１実施形態におけるリッピング制御処理フロー（図２参照）におけるステップＳ２およびステップＳ３と同様の処理が行われる。その後、ステップＳ１０１に進む。
【０１２４】
そして、ステップＳ１０１およびステップＳ１０２においては、第２実施形態におけるリッピング制御処理フロー（図３参照）におけるステップＳ１０１およびステップＳ１０２と同様の処理が行われる。すなわち、後述する残量情報に応じた容量を有するサーバ側広告データ２２ａがハードディスクドライブ１５またはリムーバブルメモリ３に記憶される。その後、ＢＤレコーダ６０１によるリッピング制御処理フローは終了される。
【０１２５】
一方、著作権管理サーバ６０４では、図１０に示すように、ステップＳ５１１において、ＢＤレコーダ６０１から送信されたハードディスクドライブ１５またはリムーバブルメモリ３の記憶容量の残量情報とリッピング開始要求信号との取得が行われる。その後、ステップＳ１２に進む。
【０１２６】
そして、ステップＳ１２〜Ｓ１４においては、第１実施形態におけるリッピング制御処理フロー（図２参照）におけるステップＳ１２〜Ｓ１４と同様の処理が行われる。そして、第６実施形態では、ステップＳ１４の後、ステップＳ５１２に進む。
【０１２７】
そして、ステップＳ５１２において、サーバ側広告データ２２ａが残量情報に応じた容量を有するサーバ側広告データ２２ａに変換される。たとえば、残量が少ない場合には、サーバ側広告データ２２ａの画質を落とすことにより、変更前のサーバ側広告データ２２ａと同一の内容のまま、残量情報に応じた容量を有するように変換される。その後、ステップＳ５１３に進む。
【０１２８】
そして、ステップＳ５１３において、残量情報に応じた容量を有するサーバ側広告データ２２ａがＢＤレコーダ６０１に送信される。その後、著作権管理サーバ６０４におけるリッピング制御処理フローは終了される。
【０１２９】
第６実施形態では、以下のような効果を得ることができる。
【０１３０】
第６実施形態では、上記のように、ＢＤレコーダ６０１の制御部６１１を、ハードディスクドライブ１５またはリムーバブルメモリ３の記憶容量の残量情報を、著作権管理サーバ６０４に送信して、著作権管理サーバ６０４から残量情報に応じた容量を有するサーバ側広告データ２２ａを取得する制御を行うように構成する。これにより、ハードディスクドライブ１５またはリムーバブルメモリ３の記憶容量の残量が少ない場合でも、サーバ側広告データ２２ａの画質を落とすことにより、著作権管理サーバ６０４からサーバ側広告データ２２ａを取得することができる。また、第６実施形態による広告データ配信システム６００のその他の効果は、第１実施形態における広告データ配信システム１００と同様である。
【０１３１】
（第７実施形態）
次に、図９および図１１を参照して、第７実施形態による広告データ配信システム７００の構成について説明する。第７実施形態では、リッピング処理時に、ユーザの選択操作に基づいて、著作権管理サーバから広告データを取得するか否かを判断する制御を行うように構成されている。
【０１３２】
図９に示すように、第７実施形態による広告データ配信システム７００は、ＢＤレコーダ７０１と著作権管理サーバ７０４とを含む。また、ＢＤレコーダ７０１は、制御部７１１を含み、著作権管理サーバ７０４は、制御部７４１を含む。
【０１３３】
ここで、第７実施形態では、図１１に示すように、ＢＤレコーダ７０１の制御部７１１は、リッピング処理の際に、ユーザにサーバ側広告データ２２ａを要求するか否かの判断を促す表示をＯＳＤ部１６から出力する制御ように構成されている。そして、テレビジョン装置５の制御部５１は、ＢＤレコーダ７０１から出力されたサーバ側広告データ２２ａを要求するか否かの判断を促す表示を取得して、表示部５３に表示する制御を行うように構成されている。
【０１３４】
たとえば、図１１に示すように、サーバ側広告データ２２ａを要求するか否かの判断を促す表示は、「広告データを要求しますか？」の表示とともに、「広告データを要求する。」および「広告データを要求しない。」の操作部表示が設けられている。そして、ユーザによるリモコン１９による選択操作に基づいて、制御部７１１は、著作権管理サーバ７０４からサーバ側広告データ２２ａを取得するか否かを判断する制御を行うように構成されている。また、第７実施形態による広告データ配信システム７００のその他の構成は、第１実施形態における広告データ配信システム１００と同様である。
【０１３５】
次に、図１２を参照して、第７実施形態による広告データ配信システム７００のリッピング制御処理フローについて説明する。ＢＤレコーダ７０１における処理は、制御部７１１により行われる。また、著作権管理サーバ７０４における処理は、制御部７４１により行われる。
【０１３６】
まず、図１２に示すように、ＢＤレコーダ７０１では、ステップＳ６０１において、リッピング開始要求信号および広告要求信号の送信処理（図１３参照）が行われる。その後、ステップＳ２に進む。
【０１３７】
そして、ステップＳ２およびステップＳ３においては、第１実施形態におけるリッピング制御処理フロー（図２参照）におけるステップＳ２およびステップＳ３と同様の処理が行われる。その後、ステップＳ６０２に進む。
【０１３８】
そして、ステップＳ６０２において、サーバ側広告データ２２ａを要求したか否かが判断される。サーバ側広告データ２２ａを要求した場合には、ステップＳ６０３に進み、サーバ側広告データ２２ａを要求していない場合には、ステップＳ６０４に進む。
【０１３９】
そして、ステップＳ６０３において、著作権管理サーバ７０４からサーバ側広告データ２２ａが取得され、サーバ側広告データ２２ａがハードディスクドライブ１５またはリムーバブルメモリ３に記憶される。その後、ステップＳ６０４に進む。
【０１４０】
そして、ステップＳ６０４において、ステップＳ６０３においてサーバ側広告データ２２ａを取得した場合には、サーバ側広告データ２２ａが再生され、ステップＳ６０３を介さずに、ステップＳ６０２からステップＳ６０４に進んだ場合には、ディスク側広告データ２２が再生される。その後、ステップＳ５に進む。
【０１４１】
そして、ステップＳ５およびステップＳ６においては、第１実施形態におけるリッピング制御処理フロー（図２参照）におけるステップＳ５およびステップＳ６と同様の処理が行われる。その後、ＢＤレコーダ７０１におけるリッピング制御処理フローが終了される。
【０１４２】
一方、著作権管理サーバ７０４では、図１２に示すように、ステップＳ６１１において、リッピング開始要求信号および広告要求信号の取得が行われる。その後、ステップＳ１２に進む。
【０１４３】
そして、ステップＳ１２〜Ｓ１４においては、第１実施形態におけるリッピング制御処理フロー（図２参照）におけるステップＳ１２〜Ｓ１４と同様の処理が行われる。そして、第７実施形態では、ステップＳ１４の後、ステップＳ６１２に進む。
【０１４４】
そして、ステップＳ６１２において、サーバ側広告データ２２ａが要求されたか否かが判断される。すなわち、後述する広告要求信号を取得したか否かが判断される。広告要求信号を取得した場合には、ステップＳ１５に進み、広告要求信号を取得していない場合には、その後、著作権管理サーバ７０４におけるリッピング制御処理フローは終了される。すなわち、ＢＤレコーダ７０１からサーバ側広告データ２２ａが要求されない場合には、サーバ側広告データ２２ａは、ＢＤレコーダ７０１に送信されない。
【０１４５】
次に、図１３を参照して、第７実施形態による広告データ配信システム７００のリッピング開始要求信号および広告要求信号の送信処理フローについて説明する。ＢＤレコーダ７０１における処理は、制御部７１１により行われる。
【０１４６】
まず、ステップＳ６２１において、サーバ側広告データ２２ａを要求するか否かの判断を促す表示（図１１参照）がＯＳＤ部１６から出力される。その後、ステップＳ６２２に進む。
【０１４７】
そして、第７実施形態では、ステップＳ６２２において、著作権管理サーバ７０４からサーバ側広告データ２２ａを要求するか否かが判断される。すわなち、ユーザによる選択操作内容が判断される。著作権管理サーバ７０４からサーバ側広告データ２２ａを要求する場合には、ステップＳ６２３に進み、著作権管理サーバ７０４からサーバ側広告データ２２ａを要求しない場合には、ステップＳ６２４に進む。
【０１４８】
そして、ステップＳ６２３において、リッピング開始要求信号および広告要求信号が著作権管理サーバ７０４に送信される。その後、ＢＤレコーダ７０１におけるリッピング開始要求信号および広告要求信号の送信処理フローが終了される。
【０１４９】
また、ステップＳ６２２において著作権管理サーバ７０４からサーバ側広告データ２２ａを要求しない場合に進むステップＳ６２４において、リッピング開始要求信号が著作権管理サーバ７０４に送信される。その後、ＢＤレコーダ７０１におけるリッピング開始要求信号および広告要求信号の送信処理フローが終了される。
【０１５０】
第７実施形態では、以下のような効果を得ることができる。
【０１５１】
第７実施形態では、上記のように、ＢＤレコーダ７０１の制御部７１１を、リッピング処理時に、ユーザのリモコン１９を用いた選択操作に基づいて、著作権管理サーバ７０４からサーバ側広告データ２２ａを取得するか否かを判断する制御を行うように構成する。これにより、ユーザの必要性に応じて著作権管理サーバ７０４からサーバ側広告データ２２ａを取得することができる。たとえば、サーバ側広告データ２２ａの取得に要する時間を省略するために、著作権管理サーバ７０４からサーバ側広告データ２２ａを取得することを拒否することができる。また、第７実施形態による広告データ配信システム７００のその他の効果は、第１実施形態における広告データ配信システム１００と同様である。
【０１５２】
（第８実施形態）
次に、図１４を参照して、第８実施形態による広告データ配信システム８００の構成について説明する。第８実施形態では、最新のサーバ側広告データの内容とハードディスクドライブまたはリムーバブルメモリに記憶されているディスク側広告データの内容とが一致する場合には、著作権管理サーバから最新のサーバ側広告データは送信されないで、最新のサーバ側広告データとハードディスクドライブまたはリムーバブルメモリに記憶されているディスク側広告データとが一致しない場合には、著作権管理サーバから最新のサーバ側広告データが送信されるように構成されている。
【０１５３】
図１４に示すように、第８実施形態による広告データ配信システム８００は、ＢＤレコーダ８０１と著作権管理サーバ８０４とを含む。また、ＢＤレコーダ８０１は、制御部８１１およびハードディスクドライブ８１５を含み、著作権管理サーバ８０４は、制御部８４１を含む。
【０１５４】
図１４に示すように、ＢＤレコーダ８０１のハードディスクドライブ８１５は、これまでのリッピング処理によりディスク側広告データ８２２ａ〜８２２ｃが記憶されている。そして、ディスク側広告データ８２２ａ〜８２２ｃは、それぞれの内容に対応した識別情報を有するように構成されている。そして、ＢＤレコーダ８０１の制御部８１１は、リッピング処理の際に、ハードディスクドライブ８１５に記憶されているディスク側広告データ８２２ａ〜８２２ｃの識別情報を含んだ広告データ情報を、著作権管理サーバ８０４に送信する制御を行うように構成されている。また、第８実施形態による広告データ配信システム８００のその他の構成は、第１実施形態における広告データ配信システム１００と同様である。
【０１５５】
次に、図１５を参照して、第８実施形態による広告データ配信システム８００のリッピング制御処理フローについて説明する。ＢＤレコーダ８０１における処理は、制御部８１１により行われる。また、著作権管理サーバ８０４における処理は、制御部８４１により行われる。
【０１５６】
まず、図１５に示すように、ＢＤレコーダ８０１では、ステップＳ７０１において、リッピング開始要求信号および広告データ情報の送信が行われる。その後、ステップＳ２に進む。
【０１５７】
そして、ステップＳ２およびステップＳ３においては、第１実施形態におけるリッピング制御処理フロー（図２参照）におけるステップＳ２およびステップＳ３と同様の処理が行われる。その後、ステップＳ７０２（図１６参照）に進む。
【０１５８】
一方、著作権管理サーバ８０４では、図１５に示すように、ステップＳ７１１において、リッピング開始要求信号および広告データ情報の取得が行われる。その後、ステップＳ１２に進む。
【０１５９】
そして、ステップＳ１２〜Ｓ１４においては、第１実施形態におけるリッピング制御処理フロー（図２参照）におけるステップＳ１２〜Ｓ１４と同様の処理が行われる。そして、第８実施形態では、ステップＳ１４の後、ステップＳ７１２（図１６参照）に進む。
【０１６０】
そして、図１６に示すように、ＢＤレコーダ８０１では、ステップＳ７０２において、著作権管理サーバ８０４から送信された広告データ要否結果の取得が行われる。すなわち、ＢＤレコーダ８０１にサーバ側広告データ２２ａ（最新の広告データ）と同一内容のディスク側広告データが記憶されているか否かの結果（広告データ要否結果）の取得が行われる。その後、ステップＳ７０３に進む。
【０１６１】
そして、ステップＳ７０３において、広告データ要否結果に基づいてサーバ側広告データを著作権管理サーバ８０４から取得するか否かが判断される。サーバ側広告データが著作権管理サーバ８０４から送信される場合には、ステップＳ７０４に進み、サーバ側広告データが著作権管理サーバ８０４から送信されない場合には、ステップＳ７０５に進む。
【０１６２】
そして、ステップＳ７０４において、著作権管理サーバ８０４から送信されたサーバ側広告データ２２ａのダウンロードが行われる。その後、ステップＳ７０５に進む。
【０１６３】
そして、ステップＳ７０５において、最新の広告データの再生が行われる。その後、ステップＳ５に進む。
【０１６４】
そして、ステップＳ５およびステップＳ６においては、第１実施形態におけるリッピング制御処理フロー（図２参照）におけるステップＳ５およびステップＳ６と同様の処理が行われる。その後、ＢＤレコーダ８０１におけるリッピング制御処理フローが終了される。
【０１６５】
一方、著作権管理サーバ８０４では、図１６に示すように、ステップＳ７１２において、ＢＤレコーダ８０１にサーバ側広告データ２２ａ（最新の広告データ）と同一内容のディスク側広告データが記憶されているか否かの判断が行われる。すなわち、広告データ情報に基づいて、最新の広告データがディスク側広告データ８２２ａ〜８２２ｃに含まれているか否かが判断される。最新の広告データと同一内容のディスク側広告データが記憶されている場合には、ステップＳ７１４に進み、最新の広告データと同一内容のディスク側広告データが記憶されていない場合には、ステップＳ７１３に進む。
【０１６６】
そして、ステップＳ７１３において、ＢＤレコーダ８０１にサーバ側広告データ２２ａ（最新の広告データ）と同一内容のディスク側広告データが記憶されていないことを示す広告データ要否結果がＢＤレコーダ８０１に送信される。その後、ステップＳ７１５に進む。
【０１６７】
そして、ステップＳ７１４において、ＢＤレコーダ８０１にサーバ側広告データ２２ａ（最新の広告データ）と同一内容のディスク側広告データが記憶されていることを示す広告データ要否結果がＢＤレコーダ８０１に送信される。その後、著作権管理サーバ８０４におけるリッピング制御処理フローが終了される。
【０１６８】
そして、ステップＳ７１５において、サーバ側広告データ２２ａ（最新の広告データ）がＢＤレコーダ８０１に送信される。その後、著作権管理サーバ８０４におけるリッピング制御処理フローが終了される。
【０１６９】
第８実施形態では、以下のような効果を得ることができる。
【０１７０】
第８実施形態では、上記のように、ＢＤレコーダ８０１の制御部８１１を、著作権管理サーバ８０４が最新の広告データを送信するか否かを判断するためのハードディスクドライブ８１５に記憶されているディスク側広告データ８２２ａ〜８２２ｃの広告データ情報を、著作権管理サーバ８０４に送信する制御を行うように構成する。
【０１７１】
そして、著作権管理サーバ８０４の制御部８４１を、サーバ側広告データ２２ａ（最新の広告データ）とハードディスクドライブ８１５に記憶されているディスク側広告データ８２２ａ〜８２２ｃのうちのいずれかとが一致する場合には、著作権管理サーバ８０４から最新の広告データを送信しないで、最新の広告データとハードディスクドライブ８１５に記憶されているディスク側広告データ８２２ａ〜８２２ｃのうちのいずれかとが一致しない場合には、著作権管理サーバ８０４から最新の広告データを送信する制御を行うように構成する。
【０１７２】
そして、ＢＤレコーダ８０１の制御部８１１を、著作権管理サーバ８０４からサーバ側広告データ２２ａ（最新の広告データ）が送信された場合に、サーバ側広告データ２２ａ（最新の広告データ）を取得する制御を行うように構成する。
【０１７３】
これにより、ハードディスクドライブ８１５に記憶されているディスク側広告データ８２２ａ〜８２２ｃが、最新の広告データでない場合にのみ、著作権管理サーバ８０４からサーバ側広告データ２２ａが送信されるので、ＢＤレコーダ８０１と著作権管理サーバ８０４との通信量の増大を抑制することができる。また、ハードディスクドライブ８１５に記憶されているディスク側広告データ８２２ａ〜８２２ｃが、最新の広告データである場合には、サーバ側広告データ２２ａは送信されないので、リッピング処理に要する時間を省くことができる。また、第８実施形態による広告データ配信システム８００のその他の効果は、第１実施形態における広告データ配信システム１００と同様である。
【０１７４】
（第９実施形態）
次に、図１７を参照して、第９実施形態による広告データ配信システム９００の構成について説明する。第９実施形態では、ＢＤレコーダは、リッピング処理時に、著作権管理サーバとの接続ができない場合に、長編広告データを再生した後に、コンテンツの再生を開始する制御を行うように構成されている。
【０１７５】
図１７に示すように、第９実施形態による広告データ配信システム９００は、ＢＤレコーダ９０１とブルーレイディスク９０２と著作権管理サーバ９０４とを含む。また、ＢＤレコーダ９０１は、制御部９１１とハードディスクドライブ９１５とを含む。また、著作権管理サーバ９０４は、制御部９４１と記憶部９４２とを含む。
【０１７６】
ここで、第９実施形態では、図１７に示すように、ＢＤレコーダ９０１のブルーレイディスク９０２には、長編広告データ９２２とディスク側広告データ２２とコンテンツ２１とが設けられている。そして、長編広告データ９２２は、ディスク側広告データ２２よりも再生時間が長くなるように構成されている。また、著作権管理サーバ９０４の記憶部９４２には、長編広告データ９２２とサーバ側広告データ２２ａとが記憶されている。なお、ディスク側広告データ２２は、本発明の「第１広告データ」の一例である。また、長編広告データ９２２は、本発明の、「第２広告データ」の一例である。また、第９実施形態による広告データ配信システム９００のその他の構成は、第１実施形態における広告データ配信システム１００と同様である。
【０１７７】
次に、図１８を参照して、第９実施形態による広告データ配信システム９００のリッピング制御処理フローについて説明する。ＢＤレコーダ９０１における処理は、制御部９１１により行われる。著作権管理サーバ９０４における処理は、制御部９４１により行われる。
【０１７８】
ここで、第９実施形態では、リッピング処理時に、ブルーレイディスク９０２（または著作権管理サーバ９０４）からディスク側広告データ２２（またはサーバ側広告データ２２ａ）、および、長編広告データ９２２が取得され、取得されたディスク側広告データ２２（またはサーバ側広告データ２２ａ）、および、長編広告データ９２２が、ハードディスクドライブ９１５（またはリムーバブルメモリ３）に記憶される。以下、具体的に説明する。
【０１７９】
まず、図１８に示すように、ＢＤレコーダ９０１では、ステップＳ１〜Ｓ５においては、第１実施形態におけるリッピング制御処理フロー（図２参照）におけるステップＳ１〜Ｓ５と同様の処理が行われる。そして、第９実施形態では、ステップＳ５の処理の後、ステップＳ８０１に進む。
【０１８０】
そして、ステップＳ８０１において、リッピング処理が行われる。すなわち、ブルーレイディスク９０２からディスク側広告データ２２、長編広告データ９２２、および、コンテンツ２１が取得され、取得されたディスク側広告データ２２、長編広告データ９２２、および、コンテンツ２１が、ハードディスクドライブ９１５（またはリムーバブルメモリ３）に記憶される。その後、ＢＤレコーダ９０１によるリッピング制御処理フローは終了される。
【０１８１】
一方、著作権管理サーバ８０４では、図１８に示すように、ステップＳ１１〜Ｓ１５においては、第１実施形態におけるリッピング制御処理フロー（図２参照）におけるステップＳ１１〜Ｓ１５と同様の処理が行われる。そして、ステップＳ１５の処理の後、著作権管理サーバ９０４によるリッピング制御処理フローは終了される。
【０１８２】
次に、図１９を参照して、第９実施形態による広告データ配信システム９００のコンテンツ再生制御処理フローについて説明する。ＢＤレコーダ９０１における処理は、制御部９１１により行われる。なお、広告データ配信システム９００のコンテンツ再生制御処理は、上記した第９実施形態による広告データ配信システム９００のリッピング制御処理（図１８参照）の後に実行される。
【０１８３】
ここで、第９実施形態では、コンテンツ２１の再生開始時に、著作権管理サーバ９０４との接続ができない場合に、長編広告データ９２２が再生された後に、コンテンツ２１の再生が開始される。以下、具体的に説明する。
【０１８４】
まず、図１９に示すように、ステップＳ８０２において、著作権管理サーバ９０４と接続可能か否かが判断される。著作権管理サーバ９０４と接続可能な場合には、ステップＳ８０６に進み、著作権管理サーバ９０４と接続可能でない場合には、ステップＳ８０３に進む。
【０１８５】
そして、ステップＳ８０３において、長編広告データ９２２の再生が行われる。その後、ステップＳ８０４に進む。
【０１８６】
そして、ステップＳ８０４において、長編広告データ９２２の再生が完了したか否かが判断される。長編広告データ９２２の再生が完了するまでこの判断は繰り返され、長編広告データ９２２の再生が完了した場合に、ステップＳ８０５に進む。
【０１８７】
そして、ステップＳ８０５において、コンテンツ２１の再生が行われる。その後、ＢＤレコーダ９０１によるコンテンツ再生制御処理フローは終了される。
【０１８８】
また、ステップＳ８０２において著作権管理サーバ９０４と接続可能な場合に進むステップＳ８０６において、著作権管理サーバ９０４に再生要求信号が送信される。その後、ステップＳ８０７に進む。
【０１８９】
そして、ステップＳ８０７において、著作権管理サーバ９０４からサーバ側広告データ２２ａのストリーミング（取得しながら再生）が行われる。その後、ステップＳ８０８に進む。
【０１９０】
そして、ステップＳ８０８において、サーバ側広告データ２２ａの再生が完了したか否かが判断される。サーバ側広告データ２２ａの再生が完了するまでこの判断は繰り返され、サーバ側広告データ２２ａの再生が完了した場合に、ステップＳ８０５に進む。
【０１９１】
第９実施形態では、以下のような効果を得ることができる。
【０１９２】
第９実施形態では、上記のように、長編広告データ９２２を、サーバ側広告データ２２ａよりも再生時間が長くなるように構成する。また、ＢＤレコーダ９０１の制御部９１１を、リッピング処理時に、ブルーレイディスク９０２（または著作権管理サーバ９０４）からディスク側広告データ２２および長編広告データ９２２を取得して、取得したディスク側広告データ２２および長編広告データ９２２を、ハードディスクドライブ９１５（またはリムーバブルメモリ３）に記憶するとともに、コンテンツ２１の再生開始時に、著作権管理サーバ９０４との接続ができない場合に、長編広告データ９２２を再生した後に、コンテンツ２１の再生を開始する制御を行うように構成する。これにより、著作権管理サーバ９０４との接続ができない場合でも、より多くの広告データをユーザに提供しながら、コンテンツ２１の再生を開始させることができる。また、第９実施形態による広告データ配信システム９００のその他の効果は、第１実施形態における広告データ配信システム１００と同様である。
【０１９３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１９４】
たとえば、上記第１〜第９実施形態では、本発明のコンテンツ再生装置として、ブルーレイディスク（ＢＤ）レコーダを用いる例を示したが、本発明はこれに限られない。本発明では、コンテンツ再生装置としてＢＤレコーダ以外のコンテンツ再生装置を用いてもよい。たとえば、コンテンツ再生装置として、ＤＶＤ（Ｄｉｇｉｔａｌ  Ｖｅｒｓａｔｉｌｅ  Ｄｉｓｋ）レコーダを用いてもよい。
【０１９５】
また、上記第１〜第９実施形態では、本発明の記憶媒体として、ブルーレイディスクを用いる例を示したが、本発明はこれに限られない。本発明では、記憶媒体として、ブルーレイディスク以外の記憶媒体を用いてもよい。たとえば、記憶媒体として、ＤＶＤを用いてもよい。
【０１９６】
また、上記第１〜第９実施形態では、本発明の外部記憶部として、リムーバブルメモリを用いる例を示したが、本発明はこれに限られない。本発明では、外部記憶部として、リムーバブル以外の外部記憶部を用いてもよい。たとえば、外部記憶部として、コンテンツ再生装置の外部に接続可能に構成されたハードディスクドライブを用いてもよい。
【０１９７】
また、上記第１〜第９実施形態では、本発明の構成を別々に記載したが、本発明の形態は、上記の形態に限られない。本発明は、上記第１〜第９実施形態を互いに組み合わせて構成してもよい。たとえば、第１実施形態では、リッピング処理時にサーバ側広告データを再生する例を示したが、本発明はこれに限られない。本発明では、第１実施形態のディスク側広告データがハードディスクドライブに記憶される構成と、第３実施形態のコンテンツの再生開始時に著作権管理サーバから取得したサーバ側広告データを再生する構成とを組み合わせてもよい。この場合、広告データ配信システムを、ディスク側広告データがハードディスクドライブに記憶されるとともに、コンテンツの再生開始時に著作権管理サーバから取得したサーバ側広告データを再生するように構成する。
【０１９８】
また、上記第４実施形態および第５実施形態では、本発明の複数のサーバ側広告データとして、３つのサーバ側広告データが著作権管理サーバに設けられる例を示したが、本発明はこれに限られない。本発明では、３つ以外の数のサーバ側広告データが著作権管理サーバに設けられるように構成してもよい。たとえば、２つ以下のサーバ側広告データが著作権管理サーバに設けられるように構成してもよいし、４つ以上のサーバ側広告データが著作権管理サーバに設けられるように構成してもよい。
【０１９９】
また、上記第１実施形態では、リッピング可否通知信号をサーバ側広告データがダウンロードされる前に取得するように構成する例を示したが、本発明はこれに限られない。本発明では、リッピング可否通知信号をサーバ側広告データがダウンロードされた後に取得するように構成してもよい。この場合、ＢＤレコーダは、サーバ側広告データがダウンロードされた後、サーバ側広告データを再生して、コンテンツの再生が完了した際に、著作権管理サーバにコンテンツの再生が完了したことを示す通知を送信する。そして、著作権管理サーバは、コンテンツの再生が完了したことを示す通知に応じて、リッピング可否通知信号をＢＤレコーダに送信するように構成する。
【０２００】
また、上記第５実施形態では、サーバ側広告データを選択するためのリッピング履歴情報および再生回数情報の両方がＢＤレコーダから著作権管理サーバに送信されることによって、サーバ側広告データが選択される例を示したが、本発明はこれに限られない。本発明では、リッピング履歴情報および再生回数情報のうちの少なくとも一方の情報がＢＤレコーダから著作権管理サーバに送信されることによって、サーバ側広告データが選択されるように構成してもよい。
【０２０１】
また、上記第６実施形態では、残量情報に応じた容量のサーバ側広告データの例として、サーバ側広告データの画質を落として、残量情報に応じた容量に変換する例を示したが、本発明はこれに限られない。本発明では、サーバ側広告データの画質を落として、残量情報に応じた容量に変換する方法以外の方法によって、残量情報に応じた容量のサーバ側広告データを設けるように構成してもよい。たとえば、著作権管理サーバに予め容量が互いに異なる複数のサーバ側広告データを設けて、残量情報に応じた容量のサーバ側広告データを、著作権管理サーバからＢＤレコーダに送信するように構成してもよい。
【０２０２】
また、上記第９実施形態では、ディスク側広告データと長編広告データとを別々に設ける例を示したが、本発明はこれに限られない。たとえば、複数のディスク側広告データを設けて、ＢＤレコーダが著作権管理サーバと接続ができない場合に、複数のディスク側広告データのうちの最も長いディスク側広告データを再生するように構成してもよいし、１つのディスク側広告データを複数回再生するように構成してもよい。
【０２０３】
また、上記第１〜第９実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０２０４】
１、２０１、３０１、５０１、６０１、７０１、８０１、９０１  ＢＤレコーダ（コンテンツ再生装置）
２、９０２  ブルーレイディスク（外部記憶媒体）
３  リムーバブルメモリ（外部記憶部）
４、３０４、４０４、５０４、６０４、７０４、８０４、８０４  著作権管理サーバ
１１、２１１、３１１、５１１、６１１、７１１、８１１、９１１  制御部（装置側制御部）
１５、５１５、８１５，９１５  ハードディスクドライブ（内部記憶部）
１９  リモコン（操作部）
２１  コンテンツ
２２、８２２ａ〜８２２ｃ  ディスク側広告データ（広告データ、第１広告データ）
２２ａ、４２２ａ〜４２２ｃ、５２２ａ〜５２２ｃ  サーバ側広告データ（広告データ）
４１、３４１、４４１、５４１、６４１、７４１、８４１、９４１  制御部（サーバ側制御部）
４２、４４２、５４２、９４２  記憶部（サーバ側記憶部）
１００、２００、３００、４００、５００、６００、７００、８００、９００  広告データ配信システム
９２２  長編広告データ（第２広告データ）
【図１】
2015225677.tif 000003
【図２】
2015225677.tif 000004
【図３】
2015225677.tif 000005
【図４】
2015225677.tif 000006
【図５】
2015225677.tif 000007
【図６】
2015225677.tif 000008
【図７】
2015225677.tif 000009
【図８】
2015225677.tif 000010
【図９】
2015225677.tif 000011
【図１０】
2015225677.tif 000012
【図１１】
2015225677.tif 000013
【図１２】
2015225677.tif 000014
【図１３】
2015225677.tif 000015
【図１４】
2015225677.tif 000016
【図１５】
2015225677.tif 000017
【図１６】
2015225677.tif 000018
【図１７】
2015225677.tif 000019
【図１８】
2015225677.tif 000020
【図１９】
2015225677.tif 000021